(57)【要約】      （修正有）【課題】通水量の増大化と水漏れ防止化との両立を図る飲み口装置を提供する。【解決手段】内側を通水路１１とする筒状のもので、一端部に飲み口３が設けられ、他端部に給水源の接続口に取付けられる取付部５及び弁座７を有する本体１０と、弁座７に着座する弁頭部２１及びこの弁頭部２１から本体１０内を挿通して該本体１０の飲み口３側から外側に突出する弁棒部２３を有する弁体２０と、この弁体２０の弁頭部２１を前記弁座７に着座させる方向に付勢力を与える弾性部材２５とを備える。本体１０は、外筒１３と、この外筒１３の内側に外側端部が外筒１３に接続された支持片１５を介して外筒１３との間に隙間１７を有する状態で支持された筒状の弁棒支持筒部１９とを具備し、弁体１０の弁棒部２３は、弁棒支持筒部１９にその内側を挿通してスライド可能に支持されている。【選択図】図２
0003169841.tif 000002
【実用新案登録請求の範囲】
【請求項１】
内側を通水路とする筒状のもので、一端部に飲み口が設けられ、他端部に給水源の接続口に取付けられる取付部及び弁座を有する本体と、
前記弁座に着座する弁頭部及びこの弁頭部から前記本体内を挿通して該本体の飲み口側から外側に突出する弁棒部を有する弁体と、
この弁体の弁頭部を前記弁座に着座させる方向に付勢力を与える弾性部材とを備えた飲み口装置において、
前記本体は、外筒と、この外筒の内側に外側端部が前記外筒に接続された支持片を介して前記外筒との間に隙間を有する状態で支持された筒状の弁棒支持筒部とを具備し、
前記弁体の弁棒部は、前記弁棒支持筒部にその内側を挿通してスライド可能に支持されていることを特徴とする飲み口装置。
【請求項２】
前記弁棒部には、前記弁棒支持筒部で支持される部分よりも前記飲み口側に、前記外筒により案内される拡径部が設けられるとともに、前記拡径部にはその拡径部の弁頭部側と飲み口側とに両端を有する溝条が当該拡径部の周方向に複数設けられていることを特徴とする請求項１に記載の飲み口装置。
【請求項３】
前記拡径部が球状に形成されていることを特徴とする請求項２に記載の飲み口装置。
【考案の詳細な説明】
【技術分野】
【０００１】
本考案は、小動物に水を与えるための飲み口装置に関する。なお、本考案において対象とする小動物には、ウサギ、ハムスター、フェレットなどの他に、犬や猫等も含まれる。
【背景技術】
【０００２】
上述した飲み口装置として、例えばゴム管などの給水管の先端に取付けられ、小動物が水を飲むことができるように構成されたものが知られている（例えば、特許文献１等参照）。
【０００３】
この飲み口装置は、前記ゴム管の先端に基端側が取付けられる管と、その管の内部に設けられ、基端側を小径とするテーパー状の貫通孔を軸心に有するゴム製の弁座と、前記貫通孔に貫通状態でスライド可能に設けられ、前記弁座に対して接離する弁頭部を基端側に備え、その弁頭部が弁座に接触した状態で前記管から少し先端が飛び出す長さを有するとともに、前記弁座よりも先端寄りの部位に、側方へ突出して形成された突部とを有する弁棒と、前記弁棒が内側を通るように設けられ、前記弁棒の突部と前記弁座とで両端が受け止められるコイル状の圧縮ばねとを有し、圧縮ばねにより弁頭部を弁座に押し付ける構成となっている。
【０００４】
この飲み口装置にあっては、圧縮ばねの付勢力に抗して弁棒が内側（基端側）に押されてスライドすると、弁棒の弁頭部が弁座から離れて開状態になって水供給が可能とされ、逆に外側（先端側）にスライドすると、弁頭部が弁座に当接して閉状態になって水供給が停止される。
【先行技術文献】
【特許文献】
【０００５】
【特許文献１】実開昭５１−１４４４８５号公報
【考案の概要】
【考案が解決しようとする課題】
【０００６】
ところで、上記飲み口装置にあっては、貫通孔と弁棒との隙間を通水路とする構成となっている。
【０００７】
しかしながら、この構成にあっては、通水量を増大化しようとするとき、前記隙間を広くすることになるが、そのように隙間を広くしたときは、貫通孔に対して弁棒が位置ずれや傾きを起こして弁頭部と弁座との当接状態が不十分となり易く、閉状態にしても水漏れを起こす虞があった。つまり、通水量の増大化と水漏れ防止化との両立を図ることが困難であった。
【０００８】
本考案は、このような従来技術の課題を解決すべくなされたもので、通水量の増大化と水漏れ防止化との両立を図ることが可能な飲み口装置を提供することを目的とする。
【課題を解決するための手段】
【０００９】
本考案は、内側を通水路とする筒状のもので、一端部に飲み口が設けられ、他端部に給水源の接続口に取付けられる取付部及び弁座を有する本体と、前記弁座に着座する弁頭部及びこの弁頭部から前記本体内を挿通して該本体の飲み口側から外側に突出する弁棒部を有する弁体と、この弁体の弁頭部を前記弁座に着座させる方向に付勢力を与える弾性部材とを備えた飲み口装置において、前記本体は、外筒と、この外筒の内側に外側端部が前記外筒に接続された支持片を介して前記外筒との間に隙間を有する状態で支持された筒状の弁棒支持筒部とを具備し、前記弁体の弁棒部は、前記弁棒支持筒部にその内側を挿通してスライド可能に支持されていることを特徴とする。本考案による場合には、弁体の弁棒部をスライド可能に支持する弁棒支持筒部が、支持片を介して外筒の内側に設けられているので、外筒と弁棒支持筒部との間の隙間を通水路として機能させ得る。よって、上記隙間の大きさを調整することにより、通水量の調節が可能になる。また、弁棒支持筒部は、弁棒部にあわせてその径を調整することができ、軸振れを起こすことなく弁棒部をスライド可能に支持できる。このため、弁頭部の軸心が弁座の中心に対して位置ずれすることを防止することができる。よって、通水量の増大化と水漏れ防止化との両立を図ることが可能になる。また、通水量の増大化に伴い、飲み口周辺や弁体周辺の通水量を増やすことができ、飲み口装置の洗浄を容易に行うことが可能になる。
【００１０】
この構成において、前記弁棒部には、前記弁棒支持筒部で支持される部分よりも前記飲み口側に、前記外筒により案内される拡径部が設けられるとともに、前記拡径部にはその拡径部の弁頭部側と飲み口側とに両端を有する溝条が当該拡径部の周方向に複数設けられるようにすることが好ましい。このようにした場合には、弁棒部が、弁棒支持筒部によりスライド可能に支持される部分と、外筒により案内される拡径部との２つを離隔して有するので、弁棒部の軸振れをより抑制することができる。これにより弁座と弁頭部との着座状態を安定化させ得るので、水漏れ防止をより向上させることができる。また、拡径部には溝条が設けられているので、拡径部が水の通流を妨げることを防止できる。加えて、溝条が周方向に複数形成されているので、水の出口と空気の入口とを有することになり、溝条が１つ形成されている場合に起こる空気の流入困難を防止し得る。特に、前記拡径部は球状に形成されることが望ましく、その場合には、拡径部が本体の内周面と接触する摩擦抵抗を小さくすることができ、弁棒のスライドをスムーズに行わせることが可能になる。
【考案の効果】
【００１１】
本考案の飲み口装置による場合には、弁体の弁棒部をスライド可能に支持する弁棒支持筒部が、支持片を介して外筒の内側に設けられているので、外筒と弁棒支持筒部との間の隙間を通水路として機能させ得る。よって、上記隙間の大きさを調整することにより、通水量の調節が可能になる。また、弁棒支持筒部は、弁棒部にあわせてその径を調整することができ、軸振れを起こすことなく弁棒部をスライド可能に支持できる。このため、弁頭部の軸心が弁座の中心に対して位置ずれすることを防止することができる。よって、通水量の増大化と水漏れ防止化との両立を図ることが可能になる。また、通水量の増大化に伴い、飲み口周辺や弁体周辺の通水量を増やすことができ、飲み口装置の洗浄を容易に行うことが可能になる。
【図面の簡単な説明】
【００１２】
【図１】本考案に係る飲み口装置と、これが接続される給水源とを示す分解正面図である。
【図２】本考案に係る飲み口装置を示す縦断面図である。
【図３】本考案の飲み口装置に用いる弁棒部を示し、（ａ）はその正面図、（ｂ）は側面図、（ｃ）は底面図である。
【図４】本考案の飲み口装置に用いる弁頭部を示し、（ａ）はその平面図、（ｂ）は正面断面図である。
【図５】図２のＶ−Ｖ線による端面図である。
【考案を実施するための形態】
【００１３】
以下に、本考案に係る飲み口装置の実施形態を具体的に説明する。
【００１４】
図１は、本考案に係る飲み口装置と、これが接続される給水源とを示す分解正面図であり、図２は上記飲み口装置を示す縦断面図である。
【００１５】
この飲み口装置１は、給水源としての容器３０の接続口３１に接続されて用いられ、その接続状態において、容器３０の内部に入れられた飲み水が供給される。
【００１６】
上記飲み口装置１は、一端部（先端部）に飲み口３が設けられ、他端部（基端部）に給水源３０の接続口３１に取付けられる取付部５及び弁座７を有する本体１０と、弁座７に着座する弁頭部２１及びこの弁頭部２１から本体１０内を通って本体１０の飲み口３側から外側に突出する弁棒部２３を有する弁体２０と、この弁体２０の弁頭部２１を弁座７に着座させる方向に付勢力を与える、弾性部材としてのコイルばね２５とを備える。
【００１７】
上記本体１０は、内側を通水路１１とする筒状に形成され、外筒１３と、この外筒１３の上側に設けられた上記取付部５と、上記外筒１３の内側に設けられた筒状の弁棒支持筒部１９とを有し、この弁棒支持筒部１９は支持片１５を介して、前記外筒１３との間に隙間１７を有する状態で外筒１３に支持されている。
【００１８】
上記取付部５は、外筒１３の上端部に一体的に繋がった円環状の鍔部５ａと、この鍔部５ａの外周縁に一端が繋がった円筒部５ｂとを有する。円筒部５ｂの内周面には、容器３０の接続口３１に形成された雄ねじ３１ａが螺着される雌ねじ５ｃが形成されている。
【００１９】
外筒１３は、樹脂製のもので、例えばＡＢＳ（アクリロニトリルブタジエンスチレンゴム）、ＰＯＭ（ポリアセタール）、ＰＡ（ナイロン）などが用いられ、例えば断面円形に形成され、その上端は、弁座７を構成している。なお、外筒１３の下端部（一端部）は前記飲み口３を構成し、それゆえに小動物にかじられる箇所であるため、かじられるとちぎれる可能性があるＰＰ（ポリプロピレン）及びＰＥ（ポリエチレン）は外筒１３の材質から除外するのが好ましい。ここで、小動物には、前述したようにウサギ、ハムスター、フェレットなどの他に、犬や猫等も含む。
【００２０】
外筒１３の内側であって弁座７よりも下側の部位には、支持片１５が複数、例えば２つ形成されており、これら２つの支持片１５は、それぞれの外側端部を外筒１３に接続し、それぞれの内側端部を弁棒支持筒部１９に接続しており、これら支持片１５を介して弁棒支持筒部１９が外筒１３に、外筒１３と同心状に支持されている（図５参照）。また、上記２つの支持片１５は、それぞれ外筒１３の直径方向に沿って配置されている。なお、支持片１５は、２個に限らず、１または３以上であってもよい。
【００２１】
外筒１３の内側は、その軸心方向においてほぼ同じ内径を有するものの、本実施形態では、支持片１５を形成している部分の内径は、支持片１５よりも下側部分の内径よりも若干短く形成されている。なお、外筒１３の内径は全長にわたって一定であってもよい。
【００２２】
上記弁棒支持筒部１９は、本実施形態では円筒状に形成されており、弁棒支持筒部１９の内側には、弁棒部２３が通される。
【００２３】
図３（ａ）は弁棒部の正面図、同（ｂ）はその側面図、同（ｃ）はその底面図である。
【００２４】
弁棒部２３は、例えば合成樹脂製の概略棒状に形成されたものであり、一端側（上端側）に設けられた縮径部２３ｂ、他端側（下端側）に設けられた拡径部としての球状部２３ｄ、及び、これら縮径部２３ｂと球状部２３ｄとの間に設けられた断面円形の軸部２３ａとを有し、軸部２３ａの軸方向の途中部位には一対のばね係止片２３ｃが側方に突出して形成されており、縮径部２３ｂよりも一端側には、縮径部２３ｂとは反対側を細くした円錐状の先端部２３ｇが形成されている。上記軸部２３ａのばね係止片２３ｃよりも上側部分および下側部分は、共に、その外径を軸方向で一定にして形成されている。上記ばね係止片２３ｃは、外筒１３の内面と非接触になる状態で、軸部２３ａよりも大きく外側へ突出している。ばね係止片２３ｃの個数は、一対に限らず、１または３以上であってもよい。また、弁棒部２３の材質としては、合成樹脂に限らず、ステンレス鋼、黄銅（真鍮）等の耐水性に優れた金属製などであってもよい。
【００２５】
上記軸部２３ａの外径は弁棒支持筒部１９の内径よりも若干短く形成され、軸部２３ａは、ばね係止片２３ｃより上側の部分において、弁棒支持筒部１９により外筒１３の軸心方向へスライド可能に支持される。また、軸部２３ａのばね係止片２３ｃよりも上側であって、弁棒支持筒部１９よりも下側の部分には、軸部２３ａを内側に入れてコイルばね２５が設けられている。
【００２６】
上記コイルばね２５は、その上端が弁棒支持筒部１９で係止され、一方、下端がばね係止片２３ｃで係止されている。このコイルばね２５の自然長は、弁頭部２１が弁座７に着座した状態において、ばね係止片２３ｃと弁棒支持筒部１９との距離よりも長く設定されていて、コイルばね２５は弁頭部２１を弁座７に押し付ける押圧付勢力を弁体２０に与えるようになっている。このようにコイルばね２５を設けておくことにより、弁頭部２１を弁座７に確実に着座させることが可能になり、容器３０内の気圧や外気圧変化に基づき、不測に開弁して水漏れが生ずるなどの不測の事態を回避することができる。上記コイルばね２５には、ステンレス鋼等の耐食性に優れた材質のものが使用される。
【００２７】
球状部２３ｄは、外表面を概略球状に形成されるとともに、周方向に複数、図示例では４つの溝条２３ｅが弁棒部２３の長手方向に沿って設けられている。球状部２３ｄは、弁頭部２１が弁座７に着座した状態において、飲み口３から一部（下端部）が露出するように設けられており、その露出部分を小動物が舌で飲み口３の内側へ押し込むと、弁頭部２１が弁座７から離れて、容器３０内の飲み水が小動物へ供給される。このとき、拡径部として機能する球状部２３ｄが小動物が舌で操作されるが、その操作部が丸くなっているため、小動物の舌を傷付ける虞がない。また、球状部２３ｄは、弁棒部２３の軸方向と直交する方向において最大径となる部分よりも下側部分を飲み口３から露出させることが好ましく、このようにすることで球状部２３ｄが飲み口３から抜け出ないので、外筒１３により球状部２３ｄを安定してスライドさせることが可能になる。なお、溝条２３ｅは、弁棒部２３の長手方向に沿って設ける必要はなく、球状部２３ｄの弁頭部２１側と、球状部２３ｄの飲み口３側とに両端を有しておればよく、弁棒部２３の長手方向に対して傾斜していてもよい。
【００２８】
上記縮径部２３ｂの直径は、先端部２３ｇの縮径部２３ｂ側の外径および軸部２３ａの外径よりも小さく形成され、両側よりも外径が小さい縮径部２３ｂには弁頭部２１が取付けられる。
【００２９】
図４は弁頭部の平面図、同（ｂ）はその正面断面図である。
【００３０】
弁頭部２１は、軟質樹脂製、例えばシリコンゴムからなり、円形皿状の中心部が開口し、その開口縁部が上方へ向けて延びた筒状部２１ａを有するように形成されている。なお、弁頭部２１の素材としては、シリコンゴムに代えて、熱可塑性エラストマー、熱硬化性エラストマー、熱可塑性樹脂、熱硬化性樹脂、ゴム類などを使用できる。
【００３１】
この弁頭部２１の縮径部２３ｂへの取付けは、本実施形態では外筒１３の内側に飲み口３側から先端部２３ｇを入れ、弁棒支持筒部１９の内側を通る状態で弁棒支持筒部１９から縮径部２３ｂを通過させ、その通過した縮径部２３ｂに上記筒状部２１ａを嵌め込むことで行われる。これにより弁頭部２１が弁棒部２３に取付けられる。
【００３２】
この取付け状態において、弁棒部２３が前記軸心方向にスライドすることで、弁頭部２１の外周部２１ｂが弁座７に対して接離し、弁座７に着座すると通水路１１が閉状態になり、一方、弁座７から外周部２１ｂが離れると通水路１１が開状態になる。
【００３３】
このように構成された本実施形態の飲み口装置１は、取付部５の雌ねじ５ｃを、接続口３１の雄ねじ３１ａに螺着することで、容器３０の接続口３１に取り付けられる。そして、この取付けに先だって、容器３０内に飲み水を予め入れておくことで、小動物が舌で球状部２３ｄをコイルばね２５の押圧付勢力に抗して押し込むと、弁頭部２１が弁座７から離れて容器３０内の飲み水が小動物へ供給される。その後、球状部２３ｄの押し込みを止めると、コイルばね２５の押圧付勢力により弁頭部２１が弁座７に着座して飲み水の供給が停止する。
【００３４】
したがって、本実施形態による場合には、弁体２０の弁棒部２３をスライド可能に支持する弁棒支持筒部１９が、支持片１５を介して外筒１３の内側に設けられているので、図５に示すように外筒１３と弁棒支持筒部１９との間に、通水路１１として機能させ得る隙間１７を設けることができ、例えば外筒１３の内径と弁棒支持筒部１９の外径とを調整することにより、隙間１７の大きさを変えて、通水量の調節が可能になる。また、弁棒支持筒部１９とこれにより支持される軸部２３ａとの相対的な大きさを調整する、例えば弁棒支持筒部１９の内径と軸部２３ａの外径とを調整することで、弁頭部２１の軸心が弁座７の中心に対して位置ずれすることを起こり難くすることができる。よって、通水量の増大化と水漏れ防止化との両立を図ることが可能になる。また、通水量の増大化に伴い、飲み口装置１における内部の洗浄を容易に行うことが可能になる。
【００３５】
また、本実施形態においては、弁棒支持筒部１９により軸部２３ａがスライド可能に支持される部分と、外筒１３により案内される球状部２３ｄ（拡径部）との２つを弁棒部２３が離隔して有するので、弁棒部２３の軸振れをより抑制することができる。これにより弁座７と弁頭部２１との着座状態を安定化させ得るので、水漏れ防止をより向上させることができる。また、球状部２３ｄには溝条２３ｅが設けられているので、球状部２３ｄが水の通流を妨げることを防止できる。加えて、溝条２３ｅが球状部２３ｄの周方向に４つ形成されているので、水の出口と空気の入口とを有することになり、溝条２３ｅが１つ形成されている場合に起こる空気の流入困難を防止し得る。更に、拡径部として球状部２３ｄを形成しているので、球状部２３ｄが本体２０の内周面と接触する摩擦抵抗を小さくすることができ、弁棒部２３のスライドをスムーズに行わせることが可能になる。
【００３６】
なお、本実施形態では弁頭部２１は弁棒部２３とは別体に設けているが、それは以下の通りです。すなわち、弁棒支持筒部１９に弁棒部２３を支持させる前に、弁棒部２３に弁頭部２１を取付けておくと、弁棒支持筒部１９の内径よりも大きい弁頭部２１と球状部２３ｄとが、弁棒部２３の両端に設けられた状態になって、どちら側からも弁棒支持筒部１９への挿入が不可能になるのを防止するために、弁頭部２１は弁棒部２３とは別体にしている。弁頭部２１の取付けは、弁棒支持筒部１９に縮径部２３ｂを下側から通過させ、その通過した縮径部２３ｂに弁頭部２１を取付けるようにしている。但し、球状部２３ｄの形成を省略する場合や、球状部２３ｄの大きさが弁棒支持筒部１９の内側を挿通し得る場合には、ばね係止片２３ｃを後付けできる構成に代えることで、弁頭部２１は弁棒部２３に一体的に設けるようにしてもよい。
【００３７】
また、上述した実施形態では拡径部としての球状部２３ｄに４つの溝条２３ｅを形成しているが、本発明はこれに限らず、溝条２３ｅを２つまたは３つ、或いは５つ以上設けてもよい。この場合にあっても、水の出口と空気の入口とを分けて、空気の流入困難を防止し得る。
【００３８】
更に、上述した実施形態では拡径部として球状部２３ｄが形成されているが、本発明はこれに限らない。例えば弁棒部２３の軸心方向に一定の長さを有する円柱状のものであってもよい。但し、この場合にあっても、拡径部の周面に２以上の溝条を形成しておくことが好ましい。
【符号の説明】
【００３９】
１    飲み口装置
３    飲み口
５    取付部
７    弁座
１０    本体
１１    通水路
１３    外筒
１５    支持片
１７    隙間
１９    弁棒支持筒部
２０    弁体
２１    弁頭部
２３    弁棒部
２３ａ    軸部
２３ｃ    ばね係止片
２３ｄ    拡径部（球状部）
２５    弾性部材（コイルばね）
３０    容器（給水源）
３１    接続口
【図１】
0003169841.tif 000003
【図２】
0003169841.tif 000004
【図３】
0003169841.tif 000005
【図４】
0003169841.tif 000006
【図５】
0003169841.tif 000007